(57)【要約】【課題】階段に適用される吊り足場であって、これを構成する棒状吊手が鉛直方向へ伸びることを可能とする吊り足場を提供すること。【解決手段】吊り足場(14)は、同一の長さ寸法を有する複数の棒状吊手(20)と、棒状吊手に支持された作業床(22)と、棒状吊手をそれぞれ階段の床版(18)に取り付けるための複数の取付金具(24)とを含む。各棒状吊手は、これが各取付金具を介して階段の床版に取り付けられるとき、水平軸線の周りに揺動し、垂下するように各取付金具に連結されている。【選択図】図１
2013151821.tif 000002
【特許請求の範囲】
【請求項１】
コンクリート造建物の階段に適用される吊り足場であって、
同一の長さ寸法を有する複数の棒状吊手と、
前記棒状吊手に支持された作業床と、
前記棒状吊手をそれぞれ前記階段の床版に取り付けるための複数の取付金具とを含み、
各棒状吊手は、これが各取付金具を介して前記階段の床版に取り付けられるとき、水平軸線の周りに揺動し、垂下するように各取付金具に連結されている、吊り足場。
【請求項２】
各取付金具は、互いに他の一方に係合可能である一対のねじ部材であって各棒状吊手に連結された一方のねじ部材と、前記階段の床版に埋め込まれた他の一方のねじ部材とからなる、請求項１に記載の吊り足場。
【発明の詳細な説明】
【技術分野】
【０００１】
本発明は、コンクリート造の建物の階段に適用される吊り足場に関する。
【背景技術】
【０００２】
従来、コンクリート造の建物の階段の床版、又はさらに該階段が設けられている階段室の壁面の仕上げ作業のために、床面上又は階段上に支柱足場を設置することが行われている。
【０００３】
しかし、支柱足場にはこれを構成する、前記床面上又は階段上に林立する複数の支柱が作業員の移動や資材の運搬作業の妨げになるという難点がある。そこで、前記支柱足場に代えて吊り足場を使用することが考えられる。これによれば、吊り足場と、その下方に位置する床面又は階段との間に作業員の通行、資材の運搬等に資する空間を確保することができると考えられる。
【０００４】
従来、水平な天井スラブに適用される吊り足場が知られている（後記特許文献１）。この吊り足場にあっては、これを構成する複数の棒状吊手がそれぞれ複数の取付金具を介して天井スラブに取り付けられ、また、鉛直に吊り下がる前記棒状吊手により作業床が支持される。前記取付金具は、互いに他の一方に螺合可能な一対のねじ部材であって各吊手に固定された一方のねじ部材と、天井スラブに埋め込まれた他の一方のねじ部材とからなる。
【０００５】
ところで、階段室の天井を規定する階段の床版は、前記水平な天井と異なり、傾斜している。このため、前記従来の吊り足場を階段の床版に適用すると、各棒状吊手が鉛直方向にではなく鉛直方向線に対して角度をなす方向に伸びることとなる。棒状吊手は、荷重の伝達上、垂直方向へ伸びることが望ましい。
【先行技術文献】
【特許文献】
【０００６】
【特許文献１】特開平５−１１３０３１号公報
【発明の概要】
【発明が解決しようとする課題】
【０００７】
したがって、本発明は、階段に適用される吊り足場であって、適用の際、これを構成する棒状吊手が鉛直方向へ伸びる吊り足場を提供することにある。
【課題を解決するための手段】
【０００８】
本発明は、コンクリート造建物の階段に適用される吊り足場に係り、同一の長さ寸法を有する複数の棒状吊手と、前記棒状吊手に支持された作業床と、前記棒状吊手をそれぞれ前記階段の床版に取り付けるための複数の取付金具とを含み、各棒状吊手は、これが各取付金具を介して前記階段の床版に取り付けられるとき、水平軸線の周りに揺動し、垂下するように各取付金具に連結されている。
【０００９】
各取付金具は、互いに他の一方に係合可能である一対のねじ部材であって各棒状吊手に連結された一方のねじ部材と、前記階段の床版に埋め込まれた他の一方のねじ部材とからなるものとすることができる。
【００１０】
本発明によれば、吊り足場が階段の床版に取り付けられるとき、各棒状吊手は、その自重により、各取付金具に対して水平軸線の周りに揺動し、鉛直方向に垂れ下がる。また、前記棒状吊手はそれぞれ同一の長さ寸法を有することから、前記棒状吊手に支持された前記作業床は、床面又は上方の階段の床版とその下方の階段との間に間隔をおいて、前記床版と平行な状態におかれる。これにより、前記作業床上での前記上方の階段の床版及び階段室の壁面についての仕上げ作業が可能とされ、他方、前記作業床下における前記床面又は下方の階段を使っての通行、資材の運搬等が可能とされる。
【図面の簡単な説明】
【００１１】
【図１】本発明に係る吊り足場が適用された階段を有するコンクリート造建物の縦断面図である。
【図２】取付金具と該取付金具を介して階段の床版に取り付けられた棒状吊手の一部とを示す部分拡大縦断面図である。
【発明を実施するための形態】
【００１２】
図１を参照すると、新築の複数階建てのコンクリート造の建物１０における各階段１２に適用される、本発明に係る吊り足場が全体に符号１４で示されている。
【００１３】
図示の例では、建物１０は四階建ての校舎からなり、該校舎の一階から三階までの階相互間に、後記踊り場１５を介して斜め上方へ伸びる複数の階段１２が設けられている。建物１０には階段１２の設置のために階段室１６が設けられている。各階段１２は階段室１６を規定する側壁にそれぞれ支持されている。より詳細には、階相互間の２つの階段１２が、その中階（中二階、中三階及び中四階）に設けられた踊り場１５で折り返して伸びている。図１においては、建物１０の中三階及び三階間の１つの階段１２と、中四階及び四階間の１つの階段１２とにそれぞれ適用された２つの吊り足場１４が例示されている。
【００１４】
吊り足場１４は、上下方向に互いに相対する上方の階段１２と下方の階段１２との間において、上方の階段１２の床版１８に吊り下げられている。床版１８は互いに相対する傾斜面、すなわち踏みづら及び蹴上げからなる段状の上面１８ａと、平坦な傾斜面からなる下面１８ｂとを規定する。上方の床版１８に吊り下げられた吊り足場１４は、例えば上方の床版１８の下面１８ｂとこれに隣接する階段室１６の側壁面とに施される仕上げのための作業の足掛かりとされる。
【００１５】
吊り足場１４は、同一の長さ寸法を有する複数（図示の例では三対）の棒状吊手２０と、これらの棒状吊手２０に支持された作業床２２と、これらの棒状吊手２０をそれぞれ階段１２の床版１８に取り付けるための複数の取付金具２４とを備える。各棒状吊手２０は、該棒状吊手が各取付金具２４を介して階段の床版１８に取り付けられるとき、水平軸線の周りに揺動可能であるように、各取付金具２４に連結されている。
【００１６】
各対の棒状吊手２０は階段１２の幅方向に相対するように配置され、また、３対の棒状吊手２０は、階段１２の伸長方向におけるほぼ全長にわたって、互いに間隔をおいて配置されている。対をなす２つの棒状吊手２０の相互間隔は、階段１２の幅寸法の範囲内の長さにおいて、任意に設定される。また、棒状吊手２０の前記長さ寸法は次のような事情を考慮して設定される。すなわち、作業床２２と上方の階段の床版１８との間の上下方向間隔が前記仕上げ作業に支障がなく、また、作業床２２と下方の階段の床版１８との間の上下方向間隔が作業者の通行、資材の運搬等に支障がないように設定される。棒状吊手２０は例えば金属製のパイプからなる。
【００１７】
作業床２２は、図示の例では、適当数の補助パイプ２６を介して、各対の両棒状吊手２０の下端部において該棒状吊手に支持され、上下の両階段１２と平行に伸びている。パイプ２６は、これらが階段１２と平行をなすように棒状吊手２０の前記下端部に固定され、あるいは前記水平軸線と平行な水平軸線の周りに揺動可能であるように連結される。
【００１８】
各棒状吊手２０を階段１２の床版１８に取り付ける各取付金具２４は、その詳細を図２に示すように、互いに他の一方に係合可能である一対のねじ部材２８，３０からなる。一方のねじ部材２８は各棒状吊手２０の端部（図上、上端部）にピン３２を介してかつピン３２の周りに回転可能に連結され、また、他方のねじ部材３０は階段１２の床版１８に埋め込まれ、その下面１８ｂに露出している。
【００１９】
したがって、各棒状吊手２０は、その上端部の一方のねじ部材２８を床版１８中の他方のねじ部材３０に係合すなわち螺合させることにより、床版１８に取り付けることができる。取り付け時、各棒状吊手２０は、ピン３２が階段１２の前記幅方向へ伸びるように位置決める。これにより、棒状吊手２０はその自重又はこれに加えて作業床２２の自重の作用を受けてピン３２の周りすなわち前記水平軸線の周りに揺動し、垂下すなわち鉛直方向に垂れ下がる。
【００２０】
図示の例では、取付金具２４の一方のねじ部材２８はボルトからなり、また、他方のねじ部材３０は雌ねじを有するインサートからなる。このインサートは、階段１２の床版１８を形成するための型枠（図示せず）内に補強鉄筋と共に配置することができ、これにより、後に前記型枠内に打設されるコンクリート中にその雌ねじが外部に露出する状態で埋設することができる。
【００２１】
一方のねじ部材２８及び他方のねじ部材３０は、これらをそれぞれ雄ねじ部材及び雌ねじ部材とする図示の例に代えてそれぞれ雌ねじ部材及び雄ねじ部材とすることができる。また、一方のねじ部材２８は、いわゆる図示の例の「まえ施工方式」に代えて、いわゆる「あと施工方式」によること、すなわちコンクリートが硬化した後の床版１８にその下面１８ｂからドリルで開けた穴に打ち込むことにより、床版１８に埋め込むことができる。
【符号の説明】
【００２２】
１０  コンクリート増の建物
１２  階段
１４  吊り足場
１６  階段室
１８  階段の床版
１８ａ，１８ｂ  床版の上面及び下面
２０  棒状吊手
２２  作業床
２４  取付金具
２８  一方のねじ部材
３０  他方のねじ部材
３２  ピン
【図１】
2013151821.tif 000003
【図２】
2013151821.tif 000004